(57)【特許請求の範囲】
【請求項１】
埋設杭の周りに掘削用ケーシングの掘削刃で引き抜き穴を掘削し、前記埋設杭の先端部にワイヤーの環状部を巻きつけて重機によりワイヤーとともに埋設杭を引き抜くようにした埋設杭の引き抜き方法において、
前記掘削用ケーシングの先端部のやや上部の内壁面に設けたワイヤー収納部に、前記環状部を収納し仮止めする工程と、
前記埋設杭の周りに前記掘削用ケーシングで引き抜き穴を掘削する工程と、
前記ワイヤーを地上の重機で引き揚げ、前記ワイヤー収納部に収納された環状部の仮止めを外してこの環状部を前記埋設杭の先端部に巻きつける工程と、
前記ワイヤーを地上の重機の引っ張りにより埋設杭を引き抜く工程と
からなることを特徴とする埋設杭の引き抜き方法。
【請求項２】
前記ワイヤーを地上の重機で引っ張りにより埋設杭を引き抜く工程は、前記掘削用ケーシングを地上に引き抜いた後に行うようにしたことを特徴とする請求項１記載の埋設杭の引き抜き方法。
【請求項３】
前記ワイヤーを地上の重機で引っ張りにより埋設杭を引き抜く工程は、前記掘削用ケーシングを地上に引き抜く工程と同時に行うようにしたことを特徴とする請求項１記載の埋設杭の引き抜き方法。
【請求項４】
前記ワイヤーは、重機３４から前記環状部に至る直線部を掘削用ケーシングの外壁面に沿って案内したことを特徴とする請求項１、２又は３記載の埋設杭の引き抜き方法。
【請求項５】
埋設杭の周りに掘削用ケーシングの掘削刃で引き抜き穴を掘削し、前記埋設杭の先端部にワイヤーの環状部を巻きつけて重機によりワイヤーとともに埋設杭を引き抜くための埋設杭の引き抜き装置において、
前記掘削用ケーシングは、先端部のやや上部の内壁部に、前記ワイヤーの環状部を収納するワイヤー収納部を全周囲が内方に開口するようにして設け、このワイヤー収納部に、収納した環状部がこのワイヤー収納部から突出するのを防止する仮支持材を所定間隔で設け、前記掘削用ケーシングの外周面に前記ワイヤーの直線部を案内するワイヤーガイド溝を設け、このワイヤーガイド溝の下端部と前記ワイヤー収納部の間に前記ワイヤーの連通するワイヤー逃げ切欠きを設けたことを特徴とする埋設杭の引き抜き装置。
【請求項６】
前記ワイヤー収納部は、内側が開口した断面コ字形をなし、外側面に、所定間隔でワイヤー逃げ切欠きを形成し、このワイヤー逃げ切欠きに臨ませて前記仮支持材を保持する固定部材を設けたことを特徴とする請求項５記載の埋設杭の引き抜き装置。
【発明の詳細な説明】
【技術分野】
【０００１】
本発明は、地盤中に埋設してある埋設杭を簡単かつ確実に引き抜くことのできる埋設杭の引き抜き方法及びその装置に関するものである。
【背景技術】
【０００２】
従来から地盤１８に埋設された埋設杭１０を引き抜くには、図４（ａ）（ｂ）（ｃ）に示すような工法で行われていた（引用文献１）。
（１）地盤１８に埋設されている埋設杭１０の位置を確認し、埋設杭１０の周りに泥水等を噴射し、バックホウによりケーシング１１を回転して埋設杭１０の外周に掘削穴１５を掘削する。
（２）掘削穴１５が埋設杭１０の下端部まで掘削して埋設杭１０と掘削穴１５の内壁面との接触を切る。
（３）ケーシング１１の下端部の掘削刃１２は、１枚おきに内外に傾斜させてあってその間に空間１３が形成されている。図４（ｃ）に示すように、ワイヤー１４は、リング１６を貫通して環状部１７が形成されており、この環状部１７が図４（ａ）（ｂ）に示すように、掘削刃１２の空間１３に嵌め込まれている。
（４）ケーシング１１を埋設杭１０の下端部よりやや上まで引き上げ、ワイヤー１４を吊っているクレーンを緩めてワイヤー１４の環状部１７を自重とワイヤー１４の剛性によりケーシング１１から外し、ワイヤー１４をクレーンで引き上げて埋設杭１０の下端部に環状部１７を締め付ける。
（５）ワイヤー１４の環状部１７を埋設杭１０の下端部に締め付け、この状態を保持しつつワイヤー１４をクレーンで引き上げることにより埋設杭１０を引き抜く。
【先行技術文献】
【特許文献】
【０００３】
【特許文献１】特公平２−１９３０号公報
【発明の概要】
【発明が解決しようとする課題】
【０００４】
特許文献１に示す公報によれば、ワイヤー１４を埋設杭１０の下端部近くに締め付ける際、ケーシング１１は泥水等を噴射させながら埋設するので、埋設杭１０と掘削穴１５の内壁との間がある程度の間隔でどろどろの軟弱土になっており、ケーシング１１を一旦少し持ち上げるとワイヤー１４は自重とワイヤー１４の剛性で簡単に外れ、ケーシング１１をワイヤー１４の固定したいところでとどめておき、その後ワイヤー１４をクレーンで引くとワイヤー１４はケーシング１１の先端にぶつかり、それ以上あがらないので埋設杭１０に締め付けることができる、としている。
しかし、この工法では、ワイヤー１４は、内外に傾斜させて形成された掘削刃１２の空間１３に嵌め込んでおり、この状態で地盤１８を掘削すると、ワイヤー１４が土石に回転しながら接触して破損してしまう恐れがあり、また、掘削刃１２で地盤１８を掘削しているときに掘削刃１２とワイヤー１４との間に土石が挟まってしまい、地盤１８が泥水でどろどろになったとしてもケーシング１１を持ち上げてもワイヤー１４は自重とワイヤー１４の剛性で外れることがなく、しかも、地中でワイヤー１４がケーシング１１の掘削刃１２から外れたかどうかを確認することもできないという問題があった。
【０００５】
本発明は、地盤をケーシングで掘削する際に泥水等の噴射にかかわりなく、確実にワイヤーをケーシングから外して埋設杭に巻き付けて埋設杭を簡単かつ確実に引き抜くことのできる埋設杭の引き抜き方法及びその装置を提供することを目的とするものである。
【課題を解決するための手段】
【０００６】
本発明による埋設杭の引き抜き方法は、埋設杭２０の周りに掘削用ケーシング２１の掘削刃２２で引き抜き穴３３を掘削し、前記埋設杭２０の先端部にワイヤー２３の環状部３１を巻きつけて重機３４によりワイヤー２３とともに埋設杭２０を引き抜くようにした埋設杭の引き抜き方法において、
前記掘削用ケーシング２１の先端部のやや上部の内壁面に設けたワイヤー収納部２５に、前記環状部３１を収納し仮止めする工程と、
前記埋設杭２０の周りに前記掘削用ケーシング２１で引き抜き穴３３を掘削する工程と、
前記ワイヤー２３を地上の重機３４で引き揚げ、前記ワイヤー収納部２５に収納された環状部３１の仮止めを外してこの環状部３１を前記埋設杭２０の先端部に巻きつける工程と、
前記ワイヤー２３を地上の重機３４の引っ張りにより埋設杭２０を引き抜く工程と
からなる。
【０００７】
前記ワイヤー２３を地上の重機３４で引っ張りにより埋設杭２０を引き抜く工程は、前記掘削用ケーシング２１を地上に引き抜いた後に行うようにしてもよく、また、  前記ワイヤー２３を地上の重機３４で引っ張りにより埋設杭２０を引き抜く工程と、前記掘削用ケーシング２１を地上に引き抜く工程とを同時に行うようにしてもよい。
【０００８】
前記ワイヤー２３は、重機３４から前記環状部３１に至る直線部３６を掘削用ケーシング２１の外壁面に沿って案内することが望ましい。
【０００９】
埋設杭２０の周りに掘削用ケーシング２１の掘削刃２２で引き抜き穴３３を掘削し、前記埋設杭２０の先端部にワイヤー２３の環状部３１を巻きつけて重機３４によりワイヤー２３とともに埋設杭２０を引き抜くための埋設杭の引き抜き装置において、
前記掘削用ケーシング２１は、先端部のやや上部の内壁部に、前記ワイヤー２３の環状部３１を収納するワイヤー収納部２５を全周囲が内方に開口するようにして設け、このワイヤー収納部２５に、収納した環状部３１がこのワイヤー収納部２５から突出するのを防止する仮支持材２７を所定間隔で設け、前記掘削用ケーシング２１の外周面に前記ワイヤー２３の直線部を案内するワイヤーガイド溝２４を設け、このワイヤーガイド溝２４の下端部と前記ワイヤー収納部２５の間に前記ワイヤー２３の連通するワイヤー逃げ切欠き２６を設ける。
【００１０】
前記ワイヤー収納部２５は、内側が開口した断面コ字形をなし、外側面に、所定間隔でワイヤー逃げ切欠き２６を形成し、このワイヤー逃げ切欠き２６に臨ませて前記仮支持材２７を保持する固定部材２９を設ける。
【発明の効果】
【００１１】
請求項１記載の発明によれば、埋設杭の周りに掘削用ケーシングの掘削刃で引き抜き穴を掘削し、前記埋設杭の先端部にワイヤーの環状部を巻きつけて重機によりワイヤーとともに埋設杭を引き抜くようにした埋設杭の引き抜き方法において、
前記掘削用ケーシングの先端部のやや上部の内壁面に設けたワイヤー収納部に、前記環状部を収納し仮止めする工程と、
前記埋設杭の周りに前記掘削用ケーシングで引き抜き穴を掘削する工程と、
前記ワイヤーを地上の重機で引き揚げ、前記ワイヤー収納部に収納された環状部の仮止めを外してこの環状部を前記埋設杭の先端部に巻きつける工程と、
前記ワイヤーを地上の重機の引っ張りにより埋設杭を引き抜く工程と
からなるので、次の効果を有する。
・掘削用ケーシングの掘削刃で引き抜き穴を掘削しても、ワイヤーの環状部がワイヤー収納部に収納され仮止めされているので、ワイヤーが土石に接触して破損することがない。
・掘削刃で地盤を掘削しているときに掘削刃とワイヤーとの間に土石が挟まることがないので、掘削の際に地盤を泥水でどろどろにしなくても確実にワイヤー収納部から外れて埋設杭に巻きつけることができる。
【００１２】
請求項２記載の発明によれば、前記ワイヤーを地上の重機で引っ張りにより埋設杭を引き抜く工程は、前記掘削用ケーシングを地上に引き抜いた後に行うようにしたので、掘削用ケーシングを引き上げてもワイヤーが上昇することがないときには、環状部で埋設杭を強く締めつけており、また、掘削用ケーシングとワイヤーが同時に上昇しているときは、環状部で埋設杭を強く締めつけていないことが分かる。
【００１３】
請求項３記載の発明によれば、前記ワイヤーを地上の重機で引っ張りにより埋設杭を引き抜く工程は、埋設杭前記掘削用ケーシングを地上に引き抜く工程と同時に行うようにすることにより、作業工程時間の短縮が図れる。
【００１４】
請求項４記載の発明によれば、前記ワイヤーは、重機から前記環状部に至る直線部を掘削用ケーシングの外壁面に沿って案内したので、掘削用ケーシングによる引き抜き穴の掘削が支障なく行える。
【００１５】
請求項５記載の発明によれば、埋設杭の周りに掘削用ケーシングの掘削刃で引き抜き穴を掘削し、前記埋設杭の先端部にワイヤーの環状部を巻きつけて重機によりワイヤーとともに埋設杭を引き抜くための埋設杭の引き抜き装置において、
前記掘削用ケーシングは、先端部のやや上部の内壁部に、前記ワイヤーの環状部を収納するワイヤー収納部を全周囲が内方に開口するようにして設け、このワイヤー収納部に、収納した環状部がこのワイヤー収納部から突出するのを防止する仮支持材を所定間隔で設け、前記掘削用ケーシングの外周面に前記ワイヤーの直線部を案内するワイヤーガイド溝を設け、このワイヤーガイド溝の下端部と前記ワイヤー収納部の間に前記ワイヤーの連通するワイヤー逃げ切欠きを設けたので、次の効果を有する。
・掘削用ケーシングの掘削刃で引き抜き穴を掘削しても、ワイヤーの環状部がワイヤー収納部に収納され仮止めされているので、ワイヤーが土石に接触して破損することがない。
・掘削刃で地盤を掘削しているときに掘削刃とワイヤーとの間に土石が挟まることがないので、掘削の際に地盤を泥水でどろどろにしなくても確実にワイヤー収納部から外れて埋設杭に巻きつけることができる。
【００１６】
請求項６記載の発明によれば、前記ワイヤー収納部は、内側が開口した断面コ字形をなし、外側面に、所定間隔でワイヤー逃げ切欠きを形成し、このワイヤー逃げ切欠きに臨ませて前記仮支持材を保持する固定部材を設けたので、ワイヤーをワイヤー収納部に掘削用ケーシングの外側から容易に仮保持できる。
【図面の簡単な説明】
【００１７】
【図１】本発明による埋設杭の引き抜き方法及びその装置の実施例１を示すもので、（ａ）は、掘削用ケーシングの先端部の縦断面図、（ｂ）は、掘削用ケーシングの底面図、（ｃ）は、（ａ）のＡ部の拡大断面図である。
【図２】本発明による埋設杭の引き抜き方法及びその装置の引き抜き工程を示すもので、（ａ）は、掘削用ケーシング２１で埋設杭２０の周りに引き抜き穴３３を掘削する工程の説明図、（ｂ）は、掘削用ケーシング２１を少し引き上げ、ワイヤー２３の環状部３１を埋設杭２０に巻き付ける工程の説明図、（ｃ）は、掘削用ケーシング２１だけを引き上げる工程の説明図、（ｄ）は、埋設杭２０を引き抜いている工程の説明図である。
【図３】本発明による埋設杭の引き抜き方法及びその装置を示すもので、埋設杭２０にワイヤー２３を巻き付ける状態の斜視図である。
【図４】特許文献１に記載の従来の埋設杭の引き抜き装置を示すもので、（ａ）は、ケーシング１１の先端の断面図、（ｂ）は、（ａ）の底面図、（ｃ）は、ワイヤー１４の斜視図である。
【発明を実施するための形態】
【００１８】
本発明は、埋設杭２０の周りに掘削用ケーシング２１の掘削刃２２で引き抜き穴３３を掘削し、前記埋設杭２０の先端部にワイヤー２３の環状部３１を巻きつけて重機３４によりワイヤー２３とともに埋設杭２０を引き抜くようにした埋設杭の引き抜き方法において、
前記掘削用ケーシング２１の先端部のやや上部の内壁面に設けたワイヤー収納部２５に、前記環状部３１を収納し仮止めする工程と、
前記埋設杭２０の周りに前記掘削用ケーシング２１で引き抜き穴３３を掘削する工程と、
前記ワイヤー２３を地上の重機３４で引き揚げ、前記ワイヤー収納部２５に収納された環状部３１の仮止めを外してこの環状部３１を前記埋設杭２０の先端部に巻きつける工程と、
前記ワイヤー２３を地上の重機３４の引っ張りにより埋設杭２０を引き抜く工程と
からなる。
【００１９】
前記ワイヤー２３を地上の重機３４で引っ張りにより埋設杭２０を引き抜く工程は、前記掘削用ケーシング２１を地上に引き抜いた後に行うようにしてもよく、また、  前記ワイヤー２３を地上の重機３４で引っ張りにより埋設杭２０を引き抜く工程と、埋設杭２０前記掘削用ケーシング２１を地上に引き抜く工程とを同時に行うようにしてもよい。
【００２０】
前記ワイヤー２３は、重機３４から前記環状部３１に至る直線部３６を掘削用ケーシング２１の外壁面に沿って案内することにより、掘削用ケーシング２１による引き抜き穴３３の掘削が支障なく行える。
【００２１】
埋設杭２０の周りに掘削用ケーシング２１の掘削刃２２で引き抜き穴３３を掘削し、前記埋設杭２０の先端部にワイヤー２３の環状部３１を巻きつけて重機３４によりワイヤー２３とともに埋設杭２０を引き抜くための埋設杭の引き抜き装置において、
前記掘削用ケーシング２１は、先端部のやや上部の内壁部に、前記ワイヤー２３の環状部３１を収納するワイヤー収納部２５を全周囲が内方に開口するようにして設け、このワイヤー収納部２５に、収納した環状部３１がこのワイヤー収納部２５から突出するのを防止する仮支持材２７を所定間隔で設け、前記掘削用ケーシング２１の外周面に前記ワイヤー２３の直線部を案内するワイヤーガイド溝２４を設け、このワイヤーガイド溝２４の下端部と前記ワイヤー収納部２５の間に前記ワイヤー２３の連通するワイヤー逃げ切欠き２６を設ける。
【００２２】
前記ワイヤー収納部２５は、内側が開口した断面コ字形をなし、外側面に、所定間隔でワイヤー逃げ切欠き２６を形成し、このワイヤー逃げ切欠き２６に臨ませて前記仮支持材２７を保持する固定部材２９を設ける。
【実施例１】
【００２３】
以下、本発明による埋設杭の引き抜き方法及びその装置の実施例１を図１乃至図３に基づき説明する。
埋設杭２０は、地盤３２に埋設されており、この埋設杭２０を引き抜くものとする。掘削用ケーシング２１は、前記埋設杭２０を引き抜くために、この埋設杭２０の周りに引き抜き穴３３を掘削するための掘削用ケーシング２１である。この掘削用ケーシング２１は、埋設杭２０が直径３００ｍｍ程度までであれば、直径７００ｍｍ、長さ１０００ｍｍ、肉厚９ｍｍ程度の金属製円筒体３５を主体とし、この円筒体３５は、埋設杭２０の長さに応じて順次連結される。
【００２４】
前記掘削用ケーシング２１の金属製円筒体３５の先端部には、所定の間隔で掘削刃２２が取り付けられている。この掘削刃２２が取り付けられた掘削用ケーシング２１には、この掘削刃２２の取り付け位置のやや上方に位置して内壁側が開口した断面コ字形のワイヤー収納部２５が外方に膨出し、かつ、全周囲に連続して設けられている。このワイヤー収納部２５の外周壁面には、所定間隔で結び窓２８が開口し、この結び窓２８に臨ませた内部には、固定部材２９が設けられている。
【００２５】
前記掘削用ケーシング２１の円筒部３５の外側面には、縦方向にワイヤー２３の直線部３６を案内するワイヤーガイド溝２４が形成されている。前記ワイヤー２３は、図３に示すように、直線部３６の先端部にリング３０が設けられ、このリング３０にリング３０を通し、２重輪の環状部３１が形成される。このように形成されたワイヤー２３の環状部３１は、前記ワイヤー収納部２５の内側から収納され、この環状部３１部分が内方に突出しないように仮支持材２７によって固定部材２９に仮止めされる。仮止めされている状態では、環状部３１は、円筒部３５の内側に飛び出さない。前記ワイヤー２３の直線部３６の上端部は、クレーン等の重機３４に連結される。
なお、前記環状部３１は、図４（ｃ）に示すように１輪のものであってもよい。
【００２６】
前記ワイヤー２３の直線部３６のワイヤーガイド溝２４に案内されている部分は、外側へはみ出さないように、所定間隔で仮支持材２７により仮止めされる。このワイヤー２３の直線部３６がワイヤーガイド溝２４からワイヤー収納部２５へ導入される部分のワイヤー収納部２５の上面から円筒部３５の側面の一部に連続するワイヤー逃げ切欠き２６が形成される。同様に、ワイヤー収納部２５の下面から円筒部３５の先端部までに連続するワイヤー逃げ切欠き２６が形成される。
【００２７】
以上のような構成による作用を図２に基づき説明する。
図２（ａ）
地盤３２に埋設された埋設杭２０の位置を確認し、この埋設杭２０の周りを掘削用ケーシング２１の回転により掘削刃２２で引き抜き穴３３を掘削開始するが、引き抜き穴３３の掘削に先立ち、図１（ａ）のように、掘削用ケーシング２１のワイヤー収納部２５には、ワイヤー２３の環状部３１を収納し、ワイヤー２３の直線部３６は、ワイヤーガイド溝２４に沿わせ、仮支持材２７によって予め仮止めしておく。
掘削用ケーシング２１により埋設杭２０の先端部まで掘削する。掘削時には、掘削用ケーシング２１の円筒部３５の内側又は外側に沿わせたホースで先端から水等を噴射するようにしてもよい。
【００２８】
図２（ｂ）
掘削用ケーシング２１が埋設杭２０の最先端部に達してからこの掘削用ケーシング２１を１ｍ程度引き上げる。１ｍ程度引き上げ、ワイヤー収納部２５の位置が埋設杭２０の先端部のワイヤー取り付け位置まで来たら、掘削用ケーシング２１の引き抜きを一時中止する。この状態で、ワイヤー２３の直線部３６を上端のクレーン等の重機３４にて引き上げる。このワイヤー２３は、例えば、２０ｔｏｎでも耐えることのできるものを使用し、仮支持材２７は、５００ｋｇ程度で切断できる番線などで仮保持しておくことにより、ワイヤー２３を重機３４で引き上げると、仮支持材２７が切断され、環状部３１の円形が縮小することによりこの環状部３１でワイヤー収納部２５の仮支持材２７を切断して埋設杭２０に強く締め付けられて巻き付く。
【００２９】
図２（ｃ）
ワイヤー２３の環状部３１を埋設杭２０に強く巻き付くように重機３４に荷重をかけた状態で、掘削用ケーシング２１は、重機３４とは異なる重機で引き上げる。すると、ワイヤー２３の重機３４と環状部３１の連続する部分は、ワイヤー逃げ切欠き２６から外れる。このとき、もし、ワイヤー２３が掘削用ケーシング２１と一緒に引き上げられるようなときには、ワイヤー２３が埋設杭２０に強く締め付けられていないことが分かるので、このようなときには、掘削用ケーシング２１を逆回転すると、ワイヤー逃げ切欠き２６の部分で環状部３１が逆回転してワイヤー２３の環状部３１による締め付けが緩められるので、緩めたら掘削用ケーシング２１を少し戻して（下降して）再び重機３４でワイヤー２３を引き上げて環状部３１の部分を埋設杭２０に強く締め付け固定する。掘削用ケーシング２１を引き上げてもワイヤー２３が上昇することがないときには、環状部３１で埋設杭２０を強く締めあげていることが分かるので、掘削用ケーシング２１だけを引き抜き穴３３から引き抜かれる。
【００３０】
図２（ｄ）
掘削用ケーシング２１を引き抜き穴３３から引き上げた後、埋設杭２０を重機３４とワイヤー２３で引き抜く。埋設杭２０が長い時には、地盤３２から地上に引き上げられた部分を５〜１０ｍ程度ずつ切断して順次引き上げることにより引き抜き作業が円滑に行われる。
【００３１】
前記実施例では、前記ワイヤー２３を地上の重機３４で引っ張りにより埋設杭２０を引き抜く工程は、前記掘削用ケーシング２１を地上に引き抜いた後に行うようにしたが、これに限られるものではなく、前記ワイヤー２３を地上の重機３４で引っ張りにより埋設杭２０を引き抜く工程は、埋設杭２０前記掘削用ケーシング２１を地上に引き抜く工程と同時に行うようにすることもできる。
【符号の説明】
【００３２】
１０…埋設杭、１１…ケーシング、１２…ケーシング、１３…空間、１４…ワイヤー、１５…掘削穴、１６…リング、１７…環状部、１８…地盤、２０…埋設杭、２１…掘削用ケーシング、２２…掘削刃、２３…ワイヤー、２４…ワイヤーガイド溝、２５…ワイヤー収納部、２６…ワイヤー逃げ切欠き、２７…仮支持材、２８…結び窓、２９…固定部材、３０…リング、３１…環状部、３２…地盤、３３…引き抜き穴、３４…重機、３５…円筒部、３６…直線部。
【図１】
0006392808.tif 000002
【図２】
0006392808.tif 000003
【図３】
0006392808.tif 000004
【図４】
0006392808.tif 000005